(57)【要約】【課題】一定以上の光量を常に確保し、特に、原稿に照射される光のうち、特に青色成分の残光特性の改善し、画像データに横筋（横縞）が現れることを防ぐ。【解決手段】スキャナ１は、原稿に光を照射する複数本のランプ７と、原稿に照射された光の反射光が入射され、１ライン毎に原稿を読み取るイメージセンサ４６と、  クロック信号ＣＬＫ１を生成するクロック発振器９６と、複数本のランプ７に接続され、クロック発振器９６が発するクロック信号ＣＬＫ１を利用して、各ランプ７の電極に印加する電圧の大きさを周期的に切り換えて各ランプ７を点灯するインバータ９５と、を備え、インバータ９５は、各ランプ７の電極に印加する電圧の切替タイミングを各ランプ７で異ならせることにより、各ランプ７の発光周期において位相差を設けて、各ランプ７を点灯させる。【選択図】図５
2010028498.tif 000002
【特許請求の範囲】
【請求項１】
原稿に光を照射する複数本のランプと、
前記原稿に照射された光の反射光が入射され、１ライン毎に原稿を読み取るイメージセンサと、
クロック信号を生成するクロック発振器と、
複数本の前記ランプに接続され、前記クロック発振器が発する前記クロック信号を利用して、各前記ランプの電極に印加する電圧の大きさを周期的に切り換えて各前記ランプを点灯するインバータと、を備え、
前記インバータは、各前記ランプの電極に印加する電圧の切替タイミングを各ランプで異ならせることにより、各前記ランプの発光周期において位相差を設けて、各前記ランプを点灯させることを特徴とする画像読取装置。
【請求項２】
前記インバータは、前記ランプの全本数分の１の周期ずつ、各前記ランプの発光周期において位相差を設けて、各前記ランプを点灯することを特徴とする請求項１記載の画像読取装置。
【請求項３】
前記ランプの本数は２本であり、
前記インバータは、各ランプの発光周期において、半周期分の位相差を設けて、２本の各前記ランプを点灯することを特徴とする請求項１又は２記載の画像読取装置。
【請求項４】
前記クロック発振器と前記インバータは、１つの基板で構成されていることを特徴とする請求項１乃至３のいずれか１項に記載の画像読取装置。
【請求項５】
請求項１乃至４のいずれか１項に記載の画像読取装置を備えたことを特徴とする画像形成装置。
【発明の詳細な説明】
【技術分野】
【０００１】
本発明は、スキャナ等の原稿の読取を行う画像読取装置に関する。又、この画像読取装置を備えた画像形成装置に関する。
【背景技術】
【０００２】
従来、原稿読取を行い、画像データを出力する画像読取装置がある。又、複写機、複合機、ＦＡＸ装置等の画像形成装置に、コピーやスキャンのため、画像読取装置が装備される。一般に、画像読取装置は、原稿に対し光を照射するランプを備え、原稿の反射光をイメージセンサに導き、画像データを得る。又、画像読取装置のイメージセンサは、ラインセンサであり、１ラインごとに読み取りを行う。具体的に、１ラインあたりの周期の間に反射光の光量に応じてライン内の各光電変換素子（各画素）で電荷を蓄え、蓄えられた電荷を画像信号として取り出し、最終的にディジタルの原稿の画像データを得る。
【０００３】
ここで、一般に、ランプには、例えば、冷陰極管等の放電を利用して発光するものが用いられる。そして、放電により発光するランプは、交流やパルスが入力され、厳密には短時間に点滅を繰り返すが、特に、光の青色成分の残光特性が悪く、青色成分が急速に失われ、ランプを点灯させ続けても、光量自体は随時変化している。そのため、例えば、ランプの発光周期の整数倍が１ラインあたりの周期となる関係を保ち、１ラインあたりの周期でのランプの発光回数が同じでなければ、各ラインの蓄積光量（積算光量）が異なることになる。そうすると、同一濃度のものを読み取っても、イメージセンサで蓄積される電荷量がラインごとに異なり、得られた画像データに濃い部分と薄い部分が現れ、横筋（横縞）が生ずることがあった。
【０００４】
このような、１ライン分の蓄積光量差により横筋（横縞）が発生する点に関し、特許文献１記載の発明が存在する。具体的に、特許文献１には、原稿をランプで照射してその反射光を光電変換素子で受光し原稿画像に対する電気信号をライン単位で読み取る画像読取装置であって、各ラインの読取開始タイミングを規定するライン同期信号に同期してランプを点灯させるインバータ部と、所定の値に設定されたコンデンサ及び抵抗の時定数に応じて所定の周期で発振クロックを出力するクロック発振器と、ライン同期信号と非同期で入力され、クロック発振器への電力の供給／非供給を切り替えるランプＯＮ／ＯＦＦ制御信号がクロック発振器への電力供給を指示している期間に、クロック発振器が出力する所定の周期の発振クロックを、インバータ部のランプ点灯信号として供給するように制御する点灯制御部と、を備え、点灯制御部は、クロック発振器においてライン同期信号によりコンデンサに充電された電荷を放電させることでライン同期信号に同期してランプを点灯する画像読取装置が記載されている。この構成により、コンデンサに充電された電荷を放電させることでライン同期信号に同期してランプを点灯し、各ライン毎の積算光量に差をなくし、読取画像が白横稿となる不具合を解消しようとする（特許文献１：補正後の請求項１、補正後の段落［０００５］等参照）。
【特許文献１】特開２００７−１２９７８０
【発明の開示】
【発明が解決しようとする課題】
【０００５】
まず、ランプを点灯させるインバータは、ランプ発光用に、インバータに入力される、又は、インバータの基板内で生成されるランプ発光用のクロック信号を利用して、ランプの電極に印加される電圧の極性を切り替えてランプを発光させる。そして、一般に、１ラインの同期信号の周波数の整数倍に、インバータでのランプ発光用のクロック信号のクロック周波数を合わせ、各ラインの蓄積光量の差をなくし、横筋（横縞）の発生を抑えようとする。
【０００６】
従って、横筋（横縞）の発生を抑えるためには、インバータでのランプ発光用のクロック信号のクロック周波数を固定する必要がある。しかし、一般に、クロック発振器の発信周波数を定める発振回路内のコンデンサや抵抗には公差があり、しかもその定数（静電容量や抵抗値等）が温度より変化するので、インバータでのランプ発光用のクロック信号を生成するクロック発振器の発振周波数は変動する。更に、インバータは電流が流れることによる自己発熱する点も発振周波数の変動に影響を与える。このため、インバータでのランプ発光用のクロック信号のクロック周波数を固定し難いという問題がある。
【０００７】
その点から言えば、又、特許文献１記載の発明は、発振回路は、一度発振を停止させてから発振を再開するので、１ラインの周期間のランプ発光回数を一定とできる点で有用と考えられるが、一般に発振回路は、発振が安定するまで一定の時間を要する。従って、特許文献１の図７及び図８に示されるような、ランプ発光を得るためには、早期に（特許文献１では数十μ秒）発振回路の発振が安定するクロック発振器でなければならないという問題がある。尚、通常、そのようなクロック発振器は価格が非常に高くなりえる。
【０００８】
更に、特許文献１記載の発明は、コンデンサ、抵抗とＩＣによりクロック発振器を構成し（特許文献１：段落［０００９］、［００１０］、図５等参照）、このクロック発振器の発生するクロックに同期して、インバータが動作し、ランプが点灯する。しかし、一般に、抵抗やコンデンサによる発振回路は、安価であるが、温度の影響を特に受けやすいとされる。そうすると、特許文献１記載の発明では、温度の影響等による発振周波数の変化によって、所望のランプの発光回数を得られるかどうかさえ定かではないという問題もある。尚、特許文献１に温度を考慮した記載はあるが（特許文献１：段落［００１２］）、インバータの自己発熱や公差の点の考慮はなされておらず、「周波数範囲は・・そのように設定する」とあるのみで、具体的対応策に関する示唆、記載はない。
【０００９】
又、特許文献１記載の発明では、１ライン期間中のランプ発光回数を一致させるため、ライン同期信号（ＴＧ−ＩＮＶ）が発生してから、しばらくの時間経過後、発光し、次のライン同期信号が発する一定時間前にランプの発光は止められる（特許文献１：図７及び図８参照）。即ち、ランプが点灯していない時間が長い。一方で、近年の読取速度の高速化の要請により読取速度向上のため、１ラインあたりの周期が短くなる傾向がある。そうすると、１ラインの周期中に十分な蓄積光量を得ようとすれば、ランプの光量を増加させる必要がある。しかし、特許文献１記載の発明は、ランプが点灯していない時間が長いので、大型、高出力、高コストのランプを使用せざるを得ず、読取速度の高速化に対応し難いという問題がある。
【００１０】
このような、横筋（横縞）の発生とその防止策は、基本的に、光の青色成分が早期に減衰して失われることに起因したものである。従って、光のうちの青色成分の残光特性を改善できれば、特許文献１に示すような、１ラインの周期間でのランプの点灯回数を調整しなくても、各ラインでの蓄積光量の差の問題は改善できる。現に、青色成分ほど残光特性が悪くない他の色成分（例えば赤色、緑色等）については、１ラインの同期信号の周波数の整数倍に、インバータでのランプ発光用のクロック信号のクロック周波数を合わせなくても、各ラインの蓄積光量の差は、横筋（横筋）が鮮明に現れるほど大きくない場合が多い。しかし、通常、青色成分の残光特性は、ランプ内の蛍光体の特性によって定まり、残光特性そのものを改善することは難しいという問題がある。
【００１１】
本発明は、上記従来技術の問題点に鑑み、ランプを複数本備え、各ランプの発光周期に位相差を設けることで、一定以上の光量を常に確保し、特に、原稿に照射される光のうち、特に青色成分の残光特性の改善すること、更には、この残光特性の改善により、画像データに横筋（横縞）が現れることを防ぐことを課題とする。
【課題を解決するための手段】
【００１２】
上記目的を達成するために、請求項１に係る画像読取装置は、原稿に光を照射する複数本のランプと、前記原稿に照射された光の反射光が入射され、１ライン毎に原稿を読み取るイメージセンサと、クロック信号を生成するクロック発振器と、複数本の前記ランプに接続され、前記クロック発振器が発する前記クロック信号を利用して、各前記ランプの電極に印加する電圧の大きさを周期的に切り換えて各前記ランプを点灯するインバータと、を備え、前記インバータは、各前記ランプの電極に印加する電圧の切替タイミングを各ランプで異ならせることにより、各前記ランプの発光周期において位相差を設けて、各前記ランプを点灯させることとした。
【００１３】
この構成によれば、インバータは、各ランプの電極に印加する電圧の切替タイミングを各ランプで異ならせることにより、各ランプの発光周期に位相差を設けて、各ランプを点灯させるので、ランプ１本での発光に比べ、ランプ発光周期内で、特に、青色成分について、光量が極めて小さくなることや、最大光量と最小光量の差を減らせるから、原稿への照射光の残光特性を改善することができる。従って、インバータでのランプ発光用のクロック信号のクロック周波数がどのような周波数であっても、各ラインの蓄積光量の差は、横筋（横筋）が鮮明に現れるほど大きくならず、読み取って得られた画像データへの横筋（横筋）の発生を防ぐことができる。
【００１４】
又、従来のように、インバータでのランプ発光用のクロック信号のクロック周波数を固定したり、１ライン期間中にインバータでのランプ発光用のクロック信号数を一定としたりする複雑な構成は不要なものとすることができる。又、温度によるインバータでのランプ発光用のクロック信号のクロック周波数の変動があっても、残光特性の改善は実現され、クロック周波数の変動を考慮する必要がなく、クロック発振器を安価なものを使用することができる。更に、従来のように、クロック発振器の発振を止めないので、ランプの発光能力を使い切ることができ、又、ランプを複数本備えるから、ランプ光量を増加させやすい。従って、読取速度の高速化で、ランプ光量の増加が求められても、容易に対応することができる。
【００１５】
又、請求項２に係る発明は、請求項１記載の発明において、前記インバータは、前記ランプの全本数分の１の周期ずつ、各前記ランプの発光周期において位相差を設けて、各前記ランプを点灯することとした。この構成によれば、インバータは、ランプの全本数分の１の周期ずつ、各ランプの発光の位相差を設けて、各ランプを点灯するので、１つのランプの発光量が下がってきた時、確実に他のランプが発光し始めるので、一定以上の光量を常に確保することができる。特に、１本のランプについて、残光特性の悪い青色成分が急速に減衰しても、その減衰を補うようにして他のランプが発光を開始するので、残光特性を改善することができる。
【００１６】
又、請求項３に係る発明は、請求項１又は２の発明において、前記ランプの本数は２本であり、前記インバータは、各ランプの発光周期において、半周期分の位相差を設けて、２本の各前記ランプを点灯することとした。この構成は、好適な形態の１つであって、２本のランプの発光周期が半周期ずつずらされつつ点灯するから、急速に減衰する青色成分も、常に一定量確保され、残光特性を改善することができる。又、ランプ本数が２本であるから、更に複数本ランプを設ける場合に比べ、スペース、コスト的に有利であり、インバータの構成も複雑にならずにすむ。
【００１７】
又、請求項４に係る発明は、請求項１乃至３の発明において、前記クロック発振器と前記インバータは、１つの基板で構成されていることとした。この構成によれば、クロック発振器とインバータは、１つの基板として構成されているので、コンパクトにランプ点灯用の構成がまとめられる。又、インバータに備えられるクロック発振器が、環境温度やインバータの自己発熱等、熱の影響を受けて発振周波数が変動しても、変動後のクロックによって、ランプへの印加電圧の極性を切り換えるだけであり、各ランプの発光周期も同様に変化するのみとなる。従って、発光周期における位相差も保持され、残光特性が改善できる点は変化しない。
【００１８】
又、請求項５に係る画像形成装置は、請求項１乃至４のいずれか１項に記載の画像読取装置を備えることとした。この構成によれば、従来のように、ランプ７が１本のみ備えられている場合に比べ、光の青色成分が急速に減衰する残光特性が改善されるので、残光特性の悪さに起因する横筋（横縞）の発生のない印刷を行うことができる、ランプ光量を容易に確保でき、読取速度の高速化にも容易に対応でき、その結果、コピー速度向上された画像形成装置を提供することができる。
【発明の効果】
【００１９】
上述の通り、本発明によれば、ランプを複数本備え、それぞれのランプの発光周期がずらされ、位相差を有しつつ発光するから、特に青色成分につき、残光特性を改善することができ、インバータでのランプ発光用のクロック発振器のクロック周期の整数倍が１ラインあたりの周期となっていなくても、横筋（横縞）の発生を防ぎやすくなる。
【発明を実施するための最良の形態】
【００２０】
以下、本発明の第１の実施形態について図１〜７を参照しつつ説明する。但し、本実施の形態に記載されている構成、配置等の各要素は、発明の範囲を限定するものではなく単なる説明例にすぎない。
【００２１】
（画像形成装置の概略）
まず、図１を用いて、本発明の実施形態におけるスキャナ１（画像読取装置に相当）を備えた電子写真方式の複写機２（画像形成装置に相当）の概略を説明する。図１は、本発明の第１の実施形態に係る複写機２の概略構成を示す正面から見た模型的断面図である。
【００２２】
図１に示すように、本実施形態に係る複写機２は、上方にスキャナ１が配される。スキャナ１は、主として、上方の原稿を搬送する原稿搬送部３（原稿搬送装置に相当）と、原稿搬送部３の下方に配され、原稿に光を照射し、反射光により読取を行う画像読取部４から構成される。尚、スキャナ１の詳細な説明は、後述する。
【００２３】
次に、複写機２内部の構成、動作について説明する。複写機２は内部に、シート供給部５０、シート搬送路５２、画像形成部６０、定着部６７等を備え、画像読取部４の下方位置に排紙空間が設けられる。そこで、これらの構成をシートの搬送経路に沿って説明する。尚、図１に複写機２内でのシートの搬送経路を実線矢印で図示する。
【００２４】
まず、シート供給部５０は、複写機２の最下部に設けられ、例えば、コピー用紙、ＯＨＰシート、ラベルシート等の各種、各サイズ（Ａ４、Ｂ５等）のシートを収容する。そして、シート供給部５０のシート搬送方向下流側上方に、給紙ローラ５１が設けられる。給紙ローラ５１は、最上位のシートに当接し、シート供給の際、所定の方向（図１では時計方向）に回転駆動し、シートを１枚ずつシート搬送路５２に送り出す。
【００２５】
シート搬送路５２は、本実施形態では、複写機２内でシートを搬送し、シート供給部５０から画像形成部６０を経て、排出トレイ５３までシートを搬送する。そして、シート搬送路５２には、駆動機構（不図示）により回転駆動する搬送ローラ対５４や、シートを案内するための複数のガイド板（不図示）や、形成されたトナー像に合わせてシートを送り出すレジストローラ対５５や、シート排出のための排出ローラ対５６等が設けられる。
【００２６】
画像形成部６０は、図１において、複写機２内の中央左方の位置に配され、スキャナ１が読み取った原稿や複写機２に入力された画像データ等に基づき、トナー像を形成し、シートに転写を行う。そして、画像形成部６０は、像担持体としての感光体ドラム６１、帯電装置６２、露光装置６３、現像装置６４、転写ローラ６５、清掃装置６６等で構成される。感光体ドラム６１は、画像形成部６０の略中央に配され、駆動装置（不図示）によって所定の方向（図１では時計方向）に回転駆動し、外周面にアモルファスシリコン等の感光層を有する。帯電装置６２は、図１の感光体ドラム６１の右斜め上方に対向して配され、所定の電位で感光体ドラム６１の周面を帯電させる。尚、コロナ放電式のものの他、帯電ローラ、ブラシ等を用いても良い。
【００２７】
露光装置６３は、図１における感光体ドラム６１及び帯電装置６２の右側方に配され、帯電後の感光体ドラム６１の周面に、形成すべき画像の画像データに基づき光（例えば、レーザ光）を照射し、周面を走査・露光し、感光体ドラム６１の周面に画像データに対応した静電潜像が形成される。現像装置６４は、図１において感光体ドラム６１の下方に設けられ、収容するトナーを所定の電位に帯電させ、そのトナーを静電潜像に供給し、静電潜像がトナー像として現像される。
【００２８】
転写ローラ６５は、図１において、感光体ドラム６１の左斜め下方に回転可能に支持され、感光体ドラム６１上に形成されたトナー像をシートに転写する。そのため、転写ローラ６５は、感光体ドラム６１に当接しニップを形成する。そして、このニップにシートが進入し転写ローラ６５にトナーの帯電極性と逆極性の電圧が印加され、トナー像のシートへの転写がなされる。清掃装置６６は、図１において、感光体ドラム６１の上方に配され、感光体ドラム６１の周面上の残トナーや塵芥等を除去、回収する。
【００２９】
定着部６７は、本実施形態では、加熱ローラ６８、加圧ローラ６９等を有し、シートに転写されたトナー像を加圧・加熱しシートに固着させる。加熱ローラ６８は内部に発熱体が内蔵され、加圧ローラ６９と加熱ローラ６８は、互いに圧接してニップを形成する。このニップにトナー像が転写されたシートが進入し、トナーの定着が行われる。定着完了後のシートは、排出ローラ対５６により、排出トレイ５３に排出される。
【００３０】
（スキャナ１の構成）
次に、図２を用いて、本発明の第１の実施形態に係るスキャナ１の詳細を説明する。図２は、本発明の第１の実施形態に係る複写機２のスキャナ１部分の拡大模型的断面図である。まず、原稿搬送部３について説明する。
【００３１】
原稿搬送部３は、読み取りを行う原稿を１枚ずつ、自動的に連続して読み取り位置に搬送し、原稿搬送方向上流側から順に、原稿載置トレイ３１、原稿供給ローラ３２、原稿搬送路３３、複数の原稿搬送ローラ対３４、原稿排出ローラ対３５、原稿排出トレイ３６等を備える。又、原稿搬送部３は、画像読取部４の上方に図２の紙面奥側を支点として画像読取部４に上下方向に開閉自在に取り付けられ、画像読取部４のコンタクトガラス（送り読取用コンタクトガラス４１ａ及び載置読取用コンタクトガラス４１ｂ）を上方から押さえるカバーとして機能する。
【００３２】
原稿載置トレイ３１は、複数枚の原稿を載置でき、原稿搬送路３３の上流端に接続される。尚、例えば、原稿載置トレイ３１には、図２に示すように、原稿載置トレイ３１に原稿が載置されていることを検出するための反射型の光センサ等の原稿検知センサ３７を備える。そして、原稿供給ローラ３２は、最上位の原稿に当接し、原稿読取や複写をする旨の入力が複写機２に入力されると、原稿搬送路３３に原稿を送り出す。送り出された原稿は、複数の原稿搬送ローラ対３４やガイドに導かれ、画像読取部４上面の送り読取用コンタクトガラス４１ａ（読取位置に相当）の上面を通過する。この通過の際、画像読取部４が読取を行う。そして、読取が完了した原稿は、原稿排出ローラ対３５から原稿排出トレイ３６に排出される（原稿搬送経路を２点鎖線で図示）。尚、上記の各回転体（原稿排出ローラ対３５等）は、原稿搬送モータＭ３（図４参照）を駆動源として回転する。
【００３３】
次に、本実施形態における画像読取部４を説明する。図１や図２に示すように、画像読取部４は、箱形の筐体を有する。そして、画像読取部４の上面に、図２の左方から、板状の送り読取用コンタクトガラス４１ａ、載置読取用コンタクトガラス４１ｂが配される。送り読取用コンタクトガラス４１ａは、原稿搬送部３により搬送される原稿が通過する面である。一方、載置読取用コンタクトガラス４１ｂは、書籍や新聞、原稿を１枚ずつ読み取る場合、原稿搬送部３を持ち上げ、読取面を下向きに原稿が載置される面である。
【００３４】
又、図２に示すように、画像読取部４の筐体内には、第１移動枠４２ａ、第２移動枠４２ｂ、ワイヤ４３、巻取ドラム４４、レンズ４５と、原稿に光を照射する複数本のランプ７（７ａ、７ｂ）と、原稿に照射された光の反射光が入射され、１ライン毎に原稿を読み取り、画像データを生成するためのイメージセンサ４６等が配される。イメージセンサ４６は、例えば、ライン状に光電変換素子を並べたＣＣＤ（Charge Coupled Device）で構成され、原稿の反射光を元に、１ライン毎に原稿を読み取る。従って、一枚の原稿を読み取って得られた画像データは、複数ラインの読取結果の合成となる。
【００３５】
そして、第１移動枠４２ａは、上方に、載置読取用コンタクトガラス４１ｂ（原稿台に相当）に載置された原稿等に、例えば、白色光を照射する２本のランプ７ａ、７ｂ（いずれも、放電により発光するランプ、例えば、冷陰極ランプ、キセノンランプ、蛍光ランプ）を、下方に第１ミラー４７ａを支持する。尚、ランプ７ａ、７ｂ、各ミラー４７は、図２の紙面垂直方向に延びる形状である。
【００３６】
ここで、本実施形態のスキャナ１では、ランプ７ａとランプ７ｂの２本を備えるが、従来のランプを１本のみ備えるスキャナのものより、１本あたりの発光量は少なくて良い。又、本発明は、２本以上の複数本のランプを備えるスキャナ１に適用できるが、本実施形態の説明では、ランプを２本装備するものとして以下説明する。
【００３７】
第２移動枠４２ｂは、上方に第２ミラー４７ｂを、下方で第３ミラー４７ｃを支持する。又、第１移動枠４２ａは第２移動枠４２ｂの上方に配される。又、この第１移動枠４２ａ及び第２移動枠４２ｂには複数本のワイヤ４３が取り付けられ（図２では、１本のみ図示）、ワイヤ４３の他端が巻取ドラム４４に接続され、巻取モータＭ４（図４参照）を駆動源として、巻取ドラム４４が正逆回転し、第１移動枠４２ａと第２移動枠４２ｂが水平方向に自在に移動する。即ち、原稿の一端縁から対向する端縁に向けて順次の光を照射するため、スキャナ１は、ランプ７ａ、７ｂの長手方向と垂直な方向でランプ７ａ、７ｂを移動させる駆動機構として、第１移動枠４２ａ、ワイヤ４３、巻取ドラム４４、駆動源としての巻取モータＭ４（モータ）を有する。
【００３８】
ここで、具体的な原稿読取動作の一例を説明しておく。まず、原稿搬送部３により搬送される原稿の読取の場合、原稿載置トレイ３１から搬送された原稿は、送り読取用コンタクトガラス４１ａの上面を通過しつつ搬送される。そして、送り読取用コンタクトガラス４１ａの下方位置（読み取り位置）に、巻取モータＭ４の駆動で、第１移動枠４２ａと第２移動枠４２ｂが固定され、通過する原稿に対し、ランプ７ａ、７ｂが光を照射する。
【００３９】
ランプ７ａ、７ｂから発せられた光は、送り読取用コンタクトガラス４１ａ上の原稿に当たり、その反射光を第１ミラー４７ａは、画像読取部４の左側面方向に向けて反射し、その光路上に第２ミラー４７ｂが配され、第２ミラー４７ｂは下方に向け、光を反射し、その光路上に第３ミラー４７ｃが配され、第３ミラー４７ｃは、スキャナ１の右方に向け光を反射する。その後、反射光は、レンズ４５に集光され、イメージセンサ４６に入射され、画像濃度に応じたアナログの電気信号に変換される。この原稿の主走査方向（原稿搬送方向と垂直な方向）にライン単位で読取を行い、このライン単位の読取を副走査方向（原稿搬送方向）に連続して繰り返し行うことで、１枚の原稿が読み取られる。
【００４０】
一方、載置読取用コンタクトガラス４１ｂ上に載置された原稿を読み取る場合、第１移動枠４２ａ及び第２移動枠４２ｂを巻取ドラム４４やワイヤ４３等により、ホームポジションから図２の右方向に水平に移動させ、走査動作を、順次原稿端部まで連続的に行うことで、原稿画像全体が読み取られ、原稿画像が電気信号に変換される。
【００４１】
（複写機２のハードウェア構成）
次に、図３に基づき本発明の第１の実施形態に係る複写機２のハードウェア構成の一例を説明する。図３は、本発明の第１の実施形態に係る複写機２の構成の一例を示すブロック図である。
【００４２】
まず、複写機２のメイン制御基板上の本体制御部２０には、中央演算処理装置として、ＣＰＵ２１が設けられ、ＲＡＭ（Random Access Memory）やＲＯＭ（Read Only Memory）やＨＤＤ（Hard disk drive）やフラッシュＲＯＭ等の不揮発性と揮発性のメモリからなる記憶部２２を有する。記憶部２２は、複写機２を制御するためのプログラム、データ等が記憶される。そして、本体制御部２０には、シート供給部５０、シート搬送路５２、画像形成部６０、定着部６７と接続され、本体制御部２０は、シート搬送や、トナー像形成等、接続される各部の動作制御を行う。
【００４３】
又、本体制御部２０は、スキャナ１とも接続され、スキャナ１に対して動作指示を与える（詳細は後述）。そして、本体制御部２０は、複写時、読み取った原稿の画像データを受け取り、その画像データに基づき、印刷を行う。
【００４４】
又、本体制御部２０には、Ｉ／Ｆ回路２３が接続され、このＩ／Ｆ回路２３を介して、ネットワーク等により、１又は複数のユーザ端末１００（例えば、パーソナルコンピュータ）を接続することができる。この接続により、複写機２は、ユーザ端末１００から画像データや印刷設定データの送信を受けて、印刷を行うことができる。又、スキャナ１を利用して読み取った原稿の画像データをユーザ端末１００に送信することもできる。
【００４５】
（スキャナ１のハードウェア構成）
次に、図４に基づき、本発明の第１の実施形態に係るスキャナ１のハードウェア構成の一例を説明する。図４は、本発明の第１の実施形態に係るスキャナ１の構成の一例を示すブロック図である。
【００４６】
上述したように、本実施形態のスキャナ１は、原稿搬送部３と画像読取部４で構成され、原稿搬送部３には、原稿搬送部３の制御を行う原稿搬送制御部８が設けられ、画像読取部４には、画像読取部４の制御を行う読取制御部９（制御部に相当）が設けられる。
【００４７】
そこで、原稿搬送制御部８を説明する。原稿搬送制御部８は、上述の本体制御部２０と接続され、本体制御部２０からの指示を受けて、原稿搬送部３の動作制御を行う。そして、原稿搬送制御部８は、中央演算処理装置としてのＣＰＵ８１、ＲＯＭ８２、ＲＡＭ８３等を有する。ＣＰＵ８１は、本体制御部２０との通信を制御し、又、本体制御部２０の指示を受け、原稿搬送部３の動作制御を行う。例えば、本体制御部２０から原稿の読み取り指示があった場合、原稿搬送モータＭ３を駆動させて、原稿供給ローラ３２、原稿搬送ローラ対３４等を回転させる。ＲＯＭ８２、ＲＡＭ８３は、制御用のプログラムやデータを記憶し、展開するためのメモリである。又、ＣＰＵ８１には、原稿検知センサ３７の出力が入力され、これにより、原稿搬送制御部８は、原稿載置トレイ３１に原稿が存在するかを検知する。
【００４８】
次に、画像読取部４と読取制御部９の詳細な構成を説明する。
【００４９】
図４に示すように、本体制御部２０と接続される読取制御部９は、ＣＰＵ９１が設けられ、記憶装置として、ＲＯＭ９２、ＲＡＭ９３が設けられる。ＲＯＭ９２は、スキャナ１の制御に必要なプログラム、データを記憶する不揮発性メモリである。ＲＡＭ９３は、スキャナ１の制御を行う際のプログラムやデータ等、各種プログラム、データが展開される揮発性のメモリである。そして、例えば、コピーを行う旨が複写機２に入力され、本体制御部２０から読取実行指示が与えられた場合等、本体制御部２０の指示を受け、読取制御部９は、スキャナ１の動作制御や、読み取って得られた画像データの本体制御部２０への送信制御を行う。
【００５０】
そして、読取制御部９には、画像読取部４の以下のような各構成が接続される。具体的に、ＡＳＩＣ９４（詳細は後述）や、画像読取部４の各ランプ７を実際に点灯させるためのインバータ９５や、巻取ドラム４４を駆動するための巻取モータＭ４や、イメージセンサ４６等が接続される。そして、原稿読取時、読取制御部９は、各部を制御する。例えば、リモート信号Ｒｔによりインバータ９５を駆動させ、ランプ７ａ、７ｂを点灯させ、巻取ドラム４４により各移動枠を移動させ、イメージセンサ４６を駆動させる。尚、インバータ９５の詳細は後述する。
【００５１】
更に、画像読取部４には、イメージセンサ４６によって得られた各画素のアナログの電気信号の転送を受け、ディジタル信号に変換するＡ／Ｄ変換部４８や、画像データを蓄積するための画像メモリ４９が搭載される。この画像メモリ４９内の画像データは、本体制御部２０に送信され、更に、画像処理後、露光装置６３による露光に用いられ、又は、ユーザ端末１００等に送信される。
【００５２】
具体的に、Ａ／Ｄ変換部４８は、イメージセンサ４６から出力される原稿のアナログ信号を、画素ごと（光電変換素子ごと）にＡ／Ｄ変換し、ディジタル信号に変換する。Ａ／Ｄ変換部４８は、アナログ信号をサンプルホールドし、アナログ信号の出力（電流又は電圧）の大きさに合わせて量子化を行い、各画素の濃度値を得る。このＡ／Ｄ変換を全ライン、全画素について行えば、１枚の原稿のディジタルの画像データが得られる。
【００５３】
ここで、ＡＳＩＣ（Application Specific Integrated Circuit）９４は、イメージセンサ４６のライン状に並べられた各光電変換素子から、蓄えられた電荷を抜き出すためのクロック信号ＣＬＫ２をイメージセンサ４６に入力する。例えば、イメージセンサ４６が６００ｄｐｉでＡ４サイズに対応するものであれば、１インチ＝２．５４センチメートルとし、Ａ４縦を２９センチメートルと仮定すれば、２９÷２．５４×６００＝６８５０（ドット）となり、約７０００個の画素がイメージセンサ４６に備えられていることになる。そこで、ＡＳＩＣ９４は、例えば、７０００回のクロック信号ＣＬＫ２を１ラインの周期の間に、イメージセンサ４６に入力する。そして、イメージセンサ４６は、このクロック信号ＣＬＫ２に合わせて、１画素ごとに蓄えられた電荷を、順次、例えば、Ａ／Ｄ変換部４８に転送する。尚、ＡＳＩＣ９４がＡ／Ｄ変換機能を有すれば、各画素の電荷をＡＳＩＣ９４に転送すればよい。
【００５４】
このように、ＡＳＩＣ９４において、１ライン分の読み出し開始から、次の１ラインの読み出し開始までの時間が、１ラインあたりの周期といえ、ＡＳＩＣ９４は、この１ラインあたりの周期の時間的な間隔を維持する。尚、ＡＳＩＣ９４の読み出しにおけるクロック信号ＣＬＫ２のクロック周波数は、１ラインあたりの周期の間に、イメージセンサ４６の１ラインの画素数分（例えば７０００画素）だけ入力できる周波数であれば良く、特に制限はない。
【００５５】
そして、例えば、ＡＳＩＣ９４は、１ラインあたりの周期を定める信号として、１ライン同期用の同期信号ＨＳＹＮＣを発することができる。例えば、１ラインの読み出し開始と同時に、ＣＰＵ９１に同期信号ＨＳＹＮＣを送信する。そして、ＣＰＵ９１は、２つの同期信号ＨＳＹＮＣ間の時間を測定すれば、ＣＰＵ９１は、１ラインあたりの周期を認識できる。尚、ＣＰＵ９１が一定周期の同期信号ＨＳＹＮＣを生成し、ＡＳＩＣ９４に与えてもよい。いずれにしても、ＡＳＩＣ９４は、ライン同期信号ＨＳＹＮＣ（読み出し開始信号）を発信又は受信し、次のライン同期信号ＨＳＹＮＣ（読み出し開始信号）を発信又は受信するまでに、例えば、７０００回のクロック信号ＣＬＫ２のイメージセンサ４６へ入力する。尚、従来と異なり、本発明では、この同期信号ＨＳＹＮＣを基準として、インバータ９５でのランプ点灯用のクロック信号のクロックの周波数制御は行わない。
【００５６】
更に、ＣＰＵ９１が１ラインあたりの周期を認識できれば、巻取モータＭ４、ワイヤ４３を利用したランプ７の理想的な移動速度と原稿搬送速度も決定できる。即ち、１ラインあたりの幅は決まっており、例えば、１ラインの幅が６００ｄｐｉを基準として定まるのであれば、１インチ＝２５．４ミリメートルとすると、１ラインの幅Ｗは、
Ｗ  ＝  ２．５４  ÷  ６００  ≒０．０４２ミリメートル
となる。従って、０．０４２ミリメートルを１ラインあたりの周期で割れば、理想的なランプ移動速度と原稿搬送速度が求められ、この理想的な速度に合わせ、ランプ７を移動させれば、ランプ７と読み取り中のラインの距離は変わらない。更に、原稿搬送部３により原稿を読み取る場合も同様、理想的な原稿搬送速度とすれば、各ラインの蓄積光量は均一にしやすくなる。
【００５７】
具体的に、理想的なランプ移動速度とするため、読取制御部９は、巻取モータＭ４の回転速度を制御すればよい。又、理想的な原稿搬送速度とするためには、読取制御部９が原稿搬送制御部８に理想的な原稿搬送速度を指示し、原稿搬送制御部８のＣＰＵ８１が、原稿搬送モータＭ３の回転速度を制御すればよい。例えば、巻取モータＭ４と、原稿搬送モータＭ３にステッピングモータを用いるならば、各モータに入力するパルスの速度を変更すればよい。
【００５８】
（残光特性改善のための構成）
次に、図５及び図６に基づき、本発明の第１の実施形態に係る原稿の読み取りにおけるランプの残光特性の改善を行う理由とその構成を説明する。図５は、本発明の第１の実施形態に係る画像読取部４の残光特性の改善ための構成の一例を説明するためのブロック図である。図６のうち、（ａ）は、本発明の第１の実施形態に係るランプ印加電圧の一例を示す図であり、（ｂ）は、光のうちの青色成分の光量の一例を示すグラフである。
【００５９】
まず、図５にランプの残光特性改善のための構成を示し、画像読取部４をより詳細に説明する。図５では、本発明の実施形態に係る画像読取部４から残光特性を改善するための構成を抜粋したブロック図である。
【００６０】
まず、本実施形態の画像読取部４のインバータ９５は、クロック発振器９６と、コントローラ９７と、フルブリッジ回路９８ａ、９８ｂと、昇圧トランス９９ａ、９９ｂが設けられる。これらの部材は、１つのインバータ基板９５ａ上に配されており、インバータ９５は、１枚の基板で構成される。そして、クロック発振器９６は、例えば、約６０ｋ〜１２０ｋＨｚ程度で発振し、クロック信号ＣＬＫ１を発生する。このクロック発振器９６は、クロック信号ＣＬＫ１の発生のため、ＩＣと水晶振動子とコンデンサ等を用いた発振回路や、ＣＲ発振回路や、ＬＣ発振回路、水晶発振回路や、セラミック振動子を利用した発振回路等の発振回路を有する。
【００６１】
そして、フルブリッジ回路９８ａ、９８ｂは、一般的に使用されるものであり、それぞれ、複数の半導体スイッチング素子（例えば、ＦＥＴやトランジスタ）を備え（例えば４つ）、各半導体スイッチング素子のＯＮ／ＯＦＦが切り換えられ、フルブリッジ回路９８ａ、９８ｂの出力としてのそれぞれの２本のアームＡｒａ、Ａｒｂに印加される電圧の極性が反転し、大小関係が入れ替わる。例えば、それぞれの２本のアームＡｒａ、Ａｒｂの出力は、矩形波的な交流となる。
【００６２】
尚、コントローラ９７は、スイッチングの制御用ＩＣ等で構成され、クロック発振器９６のクロックに応じて、フルブリッジ回路９８ａ、９８ｂの各半導体スイッチング素子を一定の周期でＯＮ／ＯＦＦを行う。言い換えると、各半導体スイッチング素子のＯＮ／ＯＦＦの周期を定めるため、クロック信号ＣＬＫ１が用いられる。尚、本実施形態のコントローラ９７は、フルブリッジ回路９８ａとフルブリッジ回路９８ｂとで、各半導体スイッチング素子のスイッチングタイミングをずらして、ランプ７ａとランプ７ｂの発光タイミングをずらし、発光周期において、位相差を持たせる。言い換えると、フルブリッジ回路９８ａとフルブリッジ回路９８ｂ間で、半導体スイッチング素子のスイッチング周期をずらす。従って、ランプ７ａとランプ７ｂでは、印加電圧の大小関係の入れ替え周期（極性反転周期）には、一定の位相差が設けられる。
【００６３】
そして、フルブリッジ回路９８ａの出力（アームＡｒａ）は、ランプ７ａを点灯させるための電圧を得るため（例えば、冷陰極ランプで１０００Ｖ程度）、昇圧トランス９９ａの一次側に入力される。又、フルブリッジ回路９８ｂの出力（アームＡｒｂ）は、ランプ７ｂを点灯させるための電圧を得るため、昇圧トランス９９ｂの一次側に入力される。
【００６４】
又、昇圧トランス９９ａの二次側には、ランプ７ａが接続される。又、昇圧トランス９９ｂの２次側には、ランプ７ｂが接続される。尚、用いるランプによって、昇圧トランス９９ａ、９９ｂがなくてもランプを点灯できる場合もあり得るので、その場合、昇圧トランス９９ａ、９９ｂは不要となる。このように、インバータ９５は、クロック発振器９６のクロック信号ＣＬＫ１を利用して動作し、ランプ７の両電極に印加される電圧の大小（極性）を切り換える。これにより、２本のランプ７ａ、７ｂの電極から電子が放出され、各ランプ内のガスに電子が衝突し、この衝突により紫外線を発生させ、紫外線が蛍光体にあたり、発光する。
【００６５】
即ち、本実施形態のスキャナ２は、クロック発振器９６を有し、複数本のランプ７（７ａ、７ｂ）に接続され、クロック発振器９６が発するクロック信号ＣＬＫ１を利用して、各ランプ７（７ａ、７ｂ）の電極に印加する電圧の大きさを周期的に切り換えて各ランプ７（７ａ、７ｂ）を点灯するインバータ９５を備える。
【００６６】
次に、図６に基づき、ランプ印加電圧と発光量の関係を説明する。
【００６７】
本実施形態の画像読取部４のランプ７ａ、７ｂは、上述したように、インバータ９５を利用して、冷陰極管、キセノンランプ、蛍光ランプ等の放電を利用し、原稿に光を照射する。そして、一定の１ライン分の周期の間に、イメージセンサ４６は、ランプ７ａ、７ｂの光を電荷に変換し、１ライン分の電荷を蓄積する。
【００６８】
そして、クロック発振器９６は、クロック信号ＣＬＫ１を生成し、コントローラ９７は、このクロック信号ＣＬＫ１を利用して、各フルブリッジ回路９８ａ、９８ｂの各アームＡｒａ、Ａｒｂに現れる電圧の極性を切り換える。この結果、各ランプ７ａ、７ｂには、図６（ａ）に示すような矩形波状の交流電圧が印加される。尚、このグラフでは、縦軸は、電圧を示し、横軸は時間を示す。
【００６９】
そして、各ランプ７ａ、７ｂの電極に印加された電圧と青色成分の発光量との関係を示すグラフが図６（ｂ）である。尚、図６（ｂ）は、縦軸に光量を示し、横軸は時間を示す。この図６（ｂ）に示されるように、各ランプ７ａ、７ｂは、印加電圧の極性切替（電圧の立ち上がり、立ち下がり）時の急激な電圧の変化時に、発光量が大きくなる。従って、ランプ印加電圧の１周期に２回の発光が行われる。言い換えると、ランプの発光周期はランプ印加電圧の半周期となる。
【００７０】
ここで、図６（ｂ）に示すのは、ランプ光のうち、青色成分であり、青色の光を発する蛍光材の特性等を要因として、青色成分は、他の色成分（例えば、緑色成分、赤色成分、図６（ｂ）中に一例を破線で図示）に比べ、急速に減衰する。即ち、次の発光までに、青色成分は急速に失われ、青色成分は残光特性が悪い。
【００７１】
もし、ランプが１本である場合、光のうちの青色成分がほとんどない状態が生じ、ランプ印加電圧の極性切替に利用されるインバータのクロック発振器のクロック周波数が、１ラインあたりの同期をとるための同期信号ＨＳＹＮＣの整数倍の関係にあるなど、１ラインの周期内での発光回数が同じでなければ、各ラインにおいて蓄積光量に大きな差が生じることがあった。言い換えると、上記の関係が保たれていなければ、１ラインの切替がランプ発光周期のうちの決まったタイミングで行われず、特に、青色の残光特性が悪いので、各ラインについて蓄積光量に大きな差が生じ得た。
【００７２】
そして、各ラインについて蓄積光量に差が周期的に現れた場合、各ラインでの蓄積光量の差は、図６（ｃ）に示すように、原稿を読み取って得られた画像データにおいて、ラインごとの濃淡差として、横筋（横縞）として現れ、画像データや画像データの印刷物の品質が低下する。このような横筋（横縞）は、上述したように、光のうち、青色成分が急速に失われてしまうという残光特性の悪さに起因するものである。
【００７３】
そこで、本発明は、例えば、コントローラ９７でフルブリッジ回路９８ａ、９８ｂの半導体スイッチング素子のスイッチングタイミングをずらし、ランプ７ａとランプ７ｂの発光周期に位相差を設け、光の青色成分がほとんどなくなってしまうことを防ぎ、青色成分の残光特性を改善する。具体的には、インバータ９５は、各ランプ７（７ａ、７ｂ）の電極に印加する電圧の切替タイミングを各ランプ７で異ならせることにより、各ランプ７の発光周期において位相差を設けて、各ランプ７を点灯させる。
【００７４】
この青色成分の残光特性の改善を図７に基づき説明する。図７の（ａ）は、従来のランプ１灯の場合の青色成分の発光の波形の一例を示し、（ｂ）は、本発明の第１の実施形態に係るランプ発光周期（青色成分）の一例を示し、（ｃ）は、本発明の第１の実施形態に係る２本のランプの青色成分の合成光量の一例を示す。
【００７５】
図７（ａ）に示すように、ランプ１本の場合、特に青色成分は、急速に減衰し、光量の変動が大きい。この図７（ａ）において、青色成分の最大光量と最小光量の差をΔ１として図示する。ランプ１本の場合、Δ１が大きすぎるので、１ラインあたりの周期とインバータのクロック発振器のクロック周波数が、同期信号ＨＳＹＮＣの周波数の整数倍の関係が保持されなければ、横筋（横縞）が発生しやすい。
【００７６】
そこで、本発明では、コントローラ９７によって、ランプ７ａとランプ７ｂとで、切替周期自体は同じであるが、印加する電圧の大小関係（極性）の切替タイミングをずらし、例えば、図７（ｂ）に示すように、ランプ発光周期が半周期分ずれるように、ランプ発光周期において、位相差が設けられる。尚、本実施形態のスキャナは、２本のランプ７ａと７ｂを備えるので、図７（ａ）に示す、従来のランプ１本の場合に比べ、１本あたりの発光量は少なくて良い。即ち、本実施形態のスキャナ２におけるランプ７（７ａ、７ｂ）の本数は２本であり、インバータ９５は、各ランプ７の発光周期に、半周期分の位相差を設けて、２本の各ランプ７を点灯する。
【００７７】
このランプ発光周期を半周期ずらした場合の２本のランプ７ａと７ｂの合成光量（青色成分）を示す図が、図７（ｃ）である。言い換えると、図７（ｃ）は、本実施形態のランプ７ａと７ｂの光量の和である。又、図７（ｃ）で、青色成分の最大光量と最小光量の差をΔ２として図示する。
【００７８】
そして、図７（ｃ）に示すように、１灯でのランプ点灯時に比べ、光の青色成分が極めて少なくならず、１灯でのランプ点灯時に比べ、青色成分が常に多く、青色成分の残光特性の悪さが改善されている。従って、Δ１よりもΔ２の方が小さくなる。
【００７９】
これにより、ランプ印加電圧の極性切替に利用されるインバータのクロック発振器のクロック周波数が、１ラインあたりの同期をとるための同期信号ＨＳＹＮＣの整数倍の関係でなくても、従来に比べ、ランプは一定の光量を確保している（特に、青色成分）から、各ラインの蓄積光量の差が少なくなり、横筋、横縞の発生が生じ難くなる。言い換えると、従来、同期信号に合わせて、インバータ９５でのクロック周波数の制御や、発振タイミングを調整して横筋（横縞）の発生を防ごうとしたが、インバータの自己発熱等で、クロック周波数の固定が困難であったところ、本発明によれば、クロック周波数が多少変動しても、位相差が確保され、残光特性は改善され、インバータへの同期信号の入力や、クロックの制御は不要とできる。
【００８０】
次に、図８に基づき、本発明の第２の実施形態について説明する。図８（ａ）は、従来のランプ１灯の場合の青色成分の発光の波形の一例であり、（ｂ）は、本発明の第２の実施形態に係るランプ発光周期（青色成分）の一例であり、（ｃ）は、本発明の第２の実施形態に係る２本のランプの青色成分の合成光量の一例を示す。（ｄ）は、本発明の第２の実施形態に係るインバータ及びランプの構成の一例を示すブロック図である。
【００８１】
本実施形態では、第１の実施形態と異なり、ランプ７ｃを更に追加し、３本とした点で異なるが、他の点については同様であるから、第１の実施形態の説明を援用するものとし、同一部分については、説明、図示を省略する。
【００８２】
まず、図８（ａ）のグラフは、図７（ａ）と同様に、ランプ１本の場合の青色成分の発光特性を示したものである。尚、このグラフでも、青色成分の最大光量と最小光量の差をΔ１として図示する。そして、本実施形態では、３本のランプ７ａ、７ｂ、７ｃを備え、又、インバータ９５は、ランプ７ａとランプ７ｂとランプ７ｃとで、極性切替の周期の長さは同一であるが、印加する電圧の大小関係（極性）の切替タイミングをずらし、例えば、図８（ｂ）のグラフに示すように、ランプ発光周期が１／３周期分ずれるように、ランプ発光周期に位相差が設けられる。尚、本実施形態のスキャナは、３本のランプ７ａ、７ｂ、７ｃを備えるので、従来のランプ１本の場合に比べ、１本あたりの発光量は少なくてすむ。
【００８３】
このランプ発光周期を１／３周期ずつ、ずらした場合の３本のランプ７ａ、７ｂ、７ｃの合成光量（青色成分）を示す図が、図８（ｃ）のグラフである。言い換えると、図８（ｃ）のグラフは、本実施形態のランプ７ａ、７ｂ、７ｃの光量の和である。このグラフでの、青色成分の最大光量と最小光量の差をΔ３として示す。
【００８４】
そして、図８（ｃ）のグラフで示すように、１灯でのランプ点灯時に比べ、光の青色成分が極めて少なくならない、即ち、１灯でのランプ点灯時に比べ、青色成分が常に多く存在し、青色成分の残光特性の悪さが改善されている。即ち、Δ１よりもΔ３の方が、明らかに小さい。
【００８５】
これにより、第１の実施形態と同様に、従来に比べ、ランプは一定の光量を確保している（特に、青色成分）から、残光特性が大きく改善され、各ラインでの蓄積光量に差が少なくなるので、横筋、横縞の発生が生じ難くなる。
【００８６】
そして、本実施形態では、図８（ｄ）に示すように、第１の実施形態のフルブリッジ回路９８ａ、９８ｂに変えて、３相インバータ回路９８ｃを設けることができる。例えば、この３相インバータ回路９８ｃは、複数の（例えば、６個の）半導体スイッチング素子（例えば、ＦＥＴ、トランジスタ）を備え、定められた周期に対して、１２０度ずつ（１／３周期ずつ）位相をずらして、出力端としての各アームＡｒ（Ａｒａ、Ａｒｂ、Ａｒｃ）の電圧の大きさ（極性）が切り換えられ、各アームＡｒは、それぞれ各昇圧トランス９９（９９ａ、９９ｂ、９９ｃ）に接続され、各ランプ７ａ、７ｂ、７ｃを点灯させる。即ち、これらの部材（クロック発振器９６、コントローラ９７、３相インバータ回路９８ｃ、昇圧トランス９９ａ〜ｃ）は、１つのインバータ基板９５ａ上に配されており、インバータ９５は、１枚の基板で構成される。
【００８７】
又、位相をずらすため、各半導体スイッチング素子のＯＮ／ＯＦＦの切替を、クロック信号ＣＬＫ１を利用して、コントローラ９７が行う。これにより、各ランプ発光周期は、１／３ずつずらされ、各ランプ７ａ〜７ｃは、発光することになる。即ち、インバータ９５は、ランプ７（７ａ、７ｂ、７ｃ）の全本数分の１の周期ずつ、各ランプ７の発光周期において位相差を設けて、各ランプ７を点灯する。
【００８８】
このようにして、本発明に係る第１と第２の実施形態によれば、インバータ９５は、各ランプ７７（７ａ、７ｂ、７ｃ）の電極に印加する電圧の切替タイミングを各ランプ７で異ならせることにより、各ランプ７の発光周期に位相差を設けて、各ランプ７を点灯させるので、ランプ１本での発光に比べ、ランプ発光周期内で、特に、青色成分について、光量が極めて小さくなることや、最大光量と最小光量の差を減らせるから、青色成分の残光特性を改善することができる。従って、インバータ９５でのランプ発光用のクロック信号のクロック周波数がどのような周波数であっても、各ラインの蓄積光量の差は、横筋（横筋）が鮮明に現れるほど大きくならず、読み取って得られた画像データへの横筋（横筋）の発生を防ぐことができる。
【００８９】
又、従来のように、インバータ９５でのランプ発光用のクロック信号のクロック周波数を固定したり、１ライン期間中にインバータ９５でのランプ発光用のクロック信号数を一定としたりする複雑な構成は不要なものとすることができる。又、温度によるインバータ９５でのランプ発光用のクロック信号のクロック周波数の変動があっても、残光特性の改善は実現され、クロック周波数の変動を考慮する必要がなく、クロック発振器９６を安価なものを使用することができる。更に、従来のように、クロック発振器９６の発振を止めないので、ランプ７の発光能力を使い切ることができ、又、ランプ７を複数本備えるから、ランプ光量を増加させやすい。従って、読取速度の高速化で、ランプ光量の増加が求められても、容易に対応することができる。
【００９０】
又、インバータ９５は、ランプ７の全本数分の１の周期ずつ、各ランプ７の発光の位相差を設けて、各ランプ７を点灯するので、１つのランプ７の発光量が下がってきた時、確実に他のランプ７が発光し始めるので、一定以上の光量を常に確保することができる。特に、１本のランプ７について、残光特性の悪い青色成分が急速に減衰しても、その減衰を補うようにして他のランプ７が発光を開始するので、残光特性を改善することができる。又、第１の実施形態が示すように、２本のランプ７（７ａ、７ｂ）の場合、発光周期が半周期ずつずらされつつ点灯するから、急速に減衰する青色成分も、常に一定量確保され、残光特性を改善することができる。更に、ランプ本数が２本とできるから、更に複数本ランプ７を設ける場合に比べ、スペース、コスト的に有利であり、インバータ９５の構成も複雑にならずにすむ。一方、第２の実施形態で示したように、インバータ９５は、１つの基板として構成されているので、インバータ９５に備えられるクロック発振器９６が、環境温度やインバータ９５の自己発熱等、熱の影響を受けて発振周波数が変動しても、変動後のクロックによって、ランプ７への印加電圧の極性を切り換えるだけであり、各ランプ７の発光周期も同様に変化するのみとなる。従って、発光周期における位相差も保持され残光特性が改善できる点は変化しない。
【００９１】
又、画像形成装置（例えば、複写機２）は、従来のように、ランプ７が１本のみ備えられている場合に比べ、光の青色成分が急速に減衰する残光特性が改善されるので、残光特性の悪さに起因する横筋（横縞）の発生のない印刷を行うことができる、ランプ光量を容易に確保でき、読取速度の高速化にも容易に対応でき、その結果、コピー速度が向上された画像形成装置を提供することができる。
【００９２】
以下、他の実施形態について説明する。
【００９３】
上述の第１と第２の実施形態では、ランプを２又は３本備える構成を示したが、更に、複数（４本以上）のランプが設けられても良い。具体的な設置本数は、設置可能なスペースやランプの径、大きさ等を勘案して定めればよい。この時、発光周期において、ランプ本数分の１ずつ位相をずらして、各ランプを発光すればよい。
【００９４】
以上、本発明の実施形態を説明したが、本発明の範囲はこれに限定されず、発明の主旨を逸脱しない範囲で種々の変更を加えて実施することができる。
【産業上の利用可能性】
【００９５】
本発明は、スキャナ等の画像読取装置やこれを備えた画像形成装置に利用可能である。
【図面の簡単な説明】
【００９６】
【図１】第１の実施形態に係る複写機の概略構成を示す正面視模型的断面図である。
【図２】第１の実施形態に係る複写機のスキャナ部分の拡大模型的断面図である。
【図３】第１の実施形態に係る複写機の構成の一例を示すブロック図である。
【図４】第１の実施形態に係るスキャナの構成の一例を示すブロック図である。
【図５】第１の実施形態に係る画像読取部の残光特性の改善ための構成の一例を説明するためのブロック図である。
【図６】（ａ）は、第１の実施形態に係るランプ印加電圧の一例を示す図であり、（ｂ）は、光のうちの青色成分の光量の一例を示すグラフである。
【図７】（ａ）は、従来のランプ１灯の場合の青色成分の発光の波形の一例を示し、（ｂ）は、第１の実施形態に係るランプ発光周期（青色成分）の一例を示し、（ｃ）は、第１の実施形態に係る２本のランプの青色成分の合成光量の一例を示す。
【図８】（ａ）は、従来のランプ１灯の場合の青色成分の発光の波形の一例を示し、（ｂ）は、第２の実施形態に係るランプ発光周期（青色成分）の一例を示し、（ｃ）は、第２の実施形態に係る２本のランプの青色成分の合成光量の一例を示し、（ｄ）は、第２の実施形態に係るインバータ及びランプの構成の一例を示すブロック図である。
【符号の説明】
【００９７】
１    スキャナ（画像読取装置）
２    複写機（画像形成装置）
７ａ、７ｂ、７ｃ  ランプ
４６  イメージセンサ
９５  インバータ
９５ａ  インバータ基板（基板）。
９６  クロック発振器
【図１】
2010028498.tif 000003
【図２】
2010028498.tif 000004
【図３】
2010028498.tif 000005
【図４】
2010028498.tif 000006
【図５】
2010028498.tif 000007
【図６】
2010028498.tif 000008
【図７】
2010028498.tif 000009
【図８】
2010028498.tif 000010